(57)【要約】【課題】制御回路の何らかの不具合によりインバーター回路の発振を継続し続けてしまうことがないように、確実に加熱を停止し安全に配慮すること。【解決手段】インバーター回路１０の出力を制御する第１の制御手段１１と、操作・表示手段１２を制御する第２の制御手段１３とが相互に通信するための通信手段２２を備え、第２の制御手段１３は第１の制御手段１１からの通信が途絶えると第１の制御手段１１からインバーター回路１０への出力を無効にする監視手段１８を備えることで、何らかの不具合により第１の制御手段１１がインバーター回路１０の発振を継続し続けてしまう状態に陥った際に、インバーター回路１０への出力を無効にすることで、確実に加熱を停止することができる。【選択図】図１
2012094262.tif 000002
【特許請求の範囲】
【請求項１】
本体の上面に配置され調理容器を載置するトッププレートと、前記トッププレートの下方に配置され前記調理容器を加熱する加熱コイルと、前記加熱コイルに高周波電流を供給するインバーター回路と、前記インバーター回路の出力を制御する第１の制御手段と、前記インバーター回路の出力レベルを変更するための操作手段と、現在の出力レベルを表示する表示手段と、前記操作手段と前記表示手段を制御する第２の制御手段と、前記第１の制御手段と前記第２の制御手段が相互に通信するための通信手段とを備え、前記第２の制御手段は前記第１の制御手段からの通信が途絶えると、前記通信手段を介さずに前記第１の制御手段からインバーター回路へ出力される信号を無効にする監視手段を備えた加熱調理器。
【請求項２】
第２の制御手段は第１の制御手段へ所定の通信コードを送信し、前記第１の制御手段は前記第２の制御手段から受け取った通信コードに対し、所定の加工を加えた通信コードを前記第２の制御手段へ返信するとともに、前記第２の制御手段は前記第１の制御手段からの所定の加工を加えられた通信コードの返信がない場合に、前記第１の制御手段からインバーター回路への出力される信号を無効にする監視手段を備えた請求項１に記載の加熱調理器。
【請求項３】
第２の制御手段は不揮発性の記憶手段を備え、前記記憶手段には監視手段により第１の制御手段からインバーター回路への出力される信号を無効にした回数を記録する領域を備え、前記監視手段により前記インバーター回路への出力を無効にした場合、前記記録領域に記録された回数をインクリメントする請求項１または２に記載の加熱調理器。
【請求項４】
監視手段によりインバーター回路への出力を無効にした場合使用者にその旨を音及び音声にて報知する報知手段を備えた請求項１〜３のいずれか１項に記載の加熱調理器。
【発明の詳細な説明】
【技術分野】
【０００１】
本発明は一般家庭で使用する加熱調理器に関し、特に、制御手段に何らかの不具合があり加熱を継続してしまうことがないように、複数の制御手段により不具合の監視を行い不具合がある場合はインバーター回路への出力を無効にする安全に配慮した加熱調理器に関するものである。
【背景技術】
【０００２】
従来、この種の加熱調理器は、制御手段の通信状態が通信エラーになるとエラー表示を行い、加熱を停止するものがあった（例えば、特許文献１参照）。
【０００３】
以下、従来の加熱調理器について説明する。図３は従来の誘導加熱調理器の斜視図である。
【０００４】
図３において、商用電源をＯＮ／ＯＦＦする電源スイッチ１０１であり、被加熱物を載置するためのトッププレート１０２であり、トッププレート１０２の下方には加熱コイル１０３が配置されている。
【０００５】
加熱コイル１０３に高周波電流を供給するインバーター回路、インバーター回路の出力を制御する制御手段を備え、さらに各種スイッチ及び表示素子を備えた操作・表示部１０４を備え、使用者により、各バーナーに対する加熱出力の設定がなされると制御手段は予め設定された加熱出力となるようにインバーター回路の出力を制御する。
【０００６】
また、電源スイッチに関して、電源スイッチそのものが商用電源をＯＮ／ＯＦＦするのではなく、商用電源をＤＣ電源に変換する変圧回路と、ＤＣ電源により駆動するマイコンにより構成された制御手段を備え、ＤＣ電源に接続されたＯＮ／ＯＦＦスイッチ（電源スイッチ）によるＨＩＧＨ、ＬＯＷの信号により電源スイッチが押されたことを制御手段が検知し、電源スイッチのＯＮ／ＯＦＦ状態を認識し、各インバーター回路へ商用電源の供給をＯＮ／ＯＦＦするスイッチ（リレー）の駆動を制御するものもある。
【０００７】
また、ＯＮ／ＯＦＦスイッチ（電源スイッチ）により、電源スイッチが押されているときにＨＩＧＨ信号、電源スイッチが押されていないときはＬＯＷ信号が出力される回路と、電源状態がＯＦＦの場合に電源スイッチのＨＩＧＨ信号が入力されるとＨＩＧＨを出力し続け、電源状態がＯＮの場合に電源スイッチのＨＩＧＨ信号が入力されるとＬＯＷ出力へ出力を変化させるマイコンを介しない電源状態保持回路と、電源状態保持回路の出力を制御手段へ入力し、電源状態保持回路がＨＩＧＨ出力の場合は各インバーター回路へ商用電源を供給するリレーをＯＮにして、電源状態保持回路がＬＯＷ出力の場合は各インバーター回路へ商用電源の供給するリレーをＯＦＦにするよう制御する制御手段を備えたものもある。
【０００８】
また、この種の加熱調理器は複数のバーナーを備えるため、加熱コイル１０３及びインバーター回路を複数備えているものがあり、それぞれのバーナー用に制御手段（マイクロコンピュータ）を備え、各制御手段のモードを制御する制御手段（マスター機能）を別に持つものもある。
【０００９】
各制御手段の必要な情報を無線、有線いずれかの通信手段により通信を行うことでマスター機能を持つ制御手段は例えば、機器の最大出力電力のなかで各バーナーがどこまで出力を出すことができるかを算出し、各バーナーの制御手段に通信にて情報を与えるものも
ある。
【００１０】
また、各バーナー用の制御手段は現在の動作モード（加熱モード、揚げ物モードといったもの）や、現在の出力をマスター機能を持つ制御手段に送付する。
【００１１】
マスター機能を有する制御手段は各バーナーからの通信信号を正常に得ることができない場合はエラー表示を表示し、故障であることを使用者に報知するものがある。
【先行技術文献】
【特許文献】
【００１２】
【特許文献１】特開２００５−２６８２０８号公報
【発明の概要】
【発明が解決しようとする課題】
【００１３】
しかしながら、前記従来の構成では、インバーター回路を制御する制御手段が何らかの不具合により、インバーター回路の発振を継続してしまう不具合を生じた場合には、通信エラーを認識して、通信で停止処理をした場合でも加熱を継続してしまう可能性があるという課題を有していた。
【００１４】
本発明は、前記従来の課題を解決するもので、制御回路の何らかの不具合によりインバーター回路の発振を継続し続けてしまうことがないように、確実に加熱を停止し安全に配慮した加熱調理器を提供することを目的とする。
【課題を解決するための手段】
【００１５】
前記従来の課題を解決するために、本発明の加熱調理器は、本体の上面に配置され調理容器を載置するトッププレートと、前記トッププレートの下方に配置され前記調理容器を加熱する加熱コイルと、前記加熱コイルに高周波電流を供給するインバーター回路と、前記インバーター回路の出力を制御する第１の制御手段と、前記インバーター回路の出力レベルを変更するための操作手段と、現在の出力レベルを表示する表示手段と、前記操作手段と前記表示手段を制御する第２の制御手段と、前記第１の制御手段と前記第２の制御手段が相互に通信するための通信手段とを備え、前記第２の制御手段は前記第１の制御手段からの通信が途絶えると、前記通信手段を介さずに前記第１の制御手段からインバーター回路へ出力される信号を無効にする監視手段を備えたものである。
【００１６】
これによって、何らかの不具合により第１の制御手段がインバーター回路の発振を継続し続けてしまう状態に陥った際に、通信手段を介さずに第１の制御手段からインバーター回路へ出力される信号を無効にすることができるので確実に加熱を停止することができる。
【発明の効果】
【００１７】
本発明の加熱調理器は、制御手段に何らかの不具合があり加熱を継続してしまう恐れのあるものにおいて、複数の制御手段により不具合の監視を行い不具合がある場合は制御手段からインバーター回路への出力を無効にすることで、安全に配慮した加熱調理器を提供することが出来る。
【図面の簡単な説明】
【００１８】
【図１】本発明の実施の形態１における加熱調理器を示すブロック図
【図２】本発明の実施の形態１における加熱調理器のインバーター回路周辺のブロック図
【図３】従来の誘導加熱調理器の斜視図
【発明を実施するための形態】
【００１９】
第１の発明は、本体の上面に配置され調理容器を載置するトッププレートと、前記トッププレートの下方に配置され前記調理容器を加熱する加熱コイルと、前記加熱コイルに高周波電流を供給するインバーター回路と、前記インバーター回路の出力を制御する第１の制御手段と、前記インバーター回路の出力レベルを変更するための操作手段と、現在の出力レベルを表示する表示手段と、前記操作手段と前記表示手段を制御する第２の制御手段と、前記第１の制御手段と前記第２の制御手段が相互に通信するための通信手段とを備え、前記第２の制御手段は前記第１の制御手段からの通信が途絶えると、前記通信手段を介さずに前記第１の制御手段からインバーター回路へ出力される信号を無効にする監視手段を備えたものである。これによって、何らかの不具合により第１の制御手段がインバーター回路の発振を継続し続けてしまう状態に陥った際に、第１の制御手段からインバーター回路への出力を無効にすることで、確実に加熱を停止することができるため、安全に配慮した加熱調理器を提供することができる。
【００２０】
第２の発明は、特に、第１の発明の制御手段は第１の制御手段へ所定の通信コードを送信し、前記第１の制御手段は前記第２の制御手段から受け取った通信コードに対し、所定の加工を加えた通信コードを前記第２の制御手段へ返信するとともに、前記第２の制御手段は前記第１の制御手段からの所定の加工を加えられた通信コードの返信がない場合に、前記第１の制御手段からインバーター回路への出力される信号を無効にする監視手段を備えることにより、第１の制御手段が第２の制御手段へ同じコードを返信し続け、且つインバーター回路の発振を継続し続けてしまう状態に陥った際に、インバーター回路への商用電源の供給をオフすることで、確実に加熱を停止することができるため、安全に配慮した加熱調理器を提供することができる。
【００２１】
第３の発明は、特に、第１または第２の発明の制御手段は不揮発性の記憶手段を備え、前記記憶手段には監視手段により第１の制御手段からインバーター回路への出力される信号を無効にした回数を記録する記録領域を備え、前記監視手段により前記インバーター回路への出力を無効にした場合、前記記録領域に記録された回数をインクリメントするとしたことで、監視手段により電源オフされたのかどうかを後から確認することができ、不具合の特定を行うことができる。
【００２２】
第４の発明は、特に、第１〜３のいずれか１つの発明の監視手段によりインバーター回路への出力を無効にした場合に使用者にその旨を音及び音声にて報知する報知手段を備えたことにより、使用者へ不具合のために加熱を停止することを知らせることができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における加熱調理器のブロック図を示すものである。
【００２５】
外郭を構成する本体１と本体１の上面に配置され調理容器２を載置するトッププレート３を有し、商用電源４から商用電源４をＯＮ／ＯＦＦするリレーにより構成された電源ＯＮ／ＯＦＦ手段５ａ又は電源ＯＮ／ＯＦＦ手段５ｂを介し供給された交流電源を直流に変換する整流回路を介し、必要なＤＣ電圧へ降圧するＡＣ／ＤＣ電源６（スイッチング電源）を備えている。
【００２６】
電源ＯＦＦからＯＮになる場合は、まず、電源スイッチ７により電源ＯＮ／ＯＦＦ手段
５ａをオンにし、スイッチング電源を駆動させ、ＤＣ電圧を発生させる。これにより、各制御回路は動作することができる。
【００２７】
電源スイッチ７からの信号により電源状態保持回路８は電源ＯＮを検知し、電源ＯＮ状態であることを第２の制御手段１３へ伝えると共にＡＣ／ＤＣ電源６への商用電源４の供給を保持するために電源ＯＮ／ＯＦＦ手段５ｂを駆動させる。
【００２８】
また、インバーター回路１０への商用電源４からの供給を行うために電源ＯＮ／ＯＦＦ手段５ｃを駆動させる。電源ＯＮからＯＦＦになる場合は、電源ＯＮ時に使用者により、電源スイッチ７がオンされると電源状態保持回路８は電源ＯＦＦを検知し、電源ＯＦＦ状態であることを第２の制御手段１３へ伝えると共にＡＣ／ＤＣ電源６への商用電源４の供給をオフするために電源ＯＮ／ＯＦＦ手段５ｂをオフする。
【００２９】
また、インバーター回路１０への商用電源４からの供給をオフするために電源ＯＮ／ＯＦＦ手段５ｃをオフする。
【００３０】
トッププレート３の下方に調理容器２を加熱するための加熱コイル９を備え、調理容器２を加熱する際に、インバーター回路１０は整流回路により直流に変換された電源から高周波電流を加熱コイル９に供給する。
【００３１】
加熱コイル９に高周波電流が供給されると交番磁界が発生し、加熱コイル９の上方に配置された金属製の調理容器２の底面に渦電流を発生させ、渦電流によるジュール熱を利用し調理容器２を誘導加熱することが出来る。
【００３２】
第１の制御手段１１は操作・表示手段１２により使用者が設定した火力に応じて、インバーター回路１０の出力を制御する。本実施の形態の第１の制御手段１１はマイコンにて構成する。
【００３３】
操作・表示手段１２に設置された第２の制御手段１３と第１の制御手段１１は相互通信ができる通信手段２２を備え、第２の制御手段１３から送信された加熱レベルに応じて第１の制御手段１１はインバーター回路１０の出力を制御する。
【００３４】
本実施の形態の第２の制御手段１３はマイコンにて構成する。本実施の形態では各制御手段の通信手段２２は有線のシリアル通信とする。なお、通信手段２２は無線通信を用いてもよい。
【００３５】
第１の制御手段１１は、第２の制御手段１３に対し、現在制御中の加熱出力及びトッププレート３の温度情報等を送信する。
【００３６】
第１の制御手段１１は加熱コイル９の略中央に配置されたサーミスタにより構成された温度検知手段１４により検知された温度に応じてインバーター回路１０の出力を制御する。
【００３７】
なお、本実施の形態では温度検知手段１４をサーミスタにより構成するとしたが、白金センサや赤外線センサなどの温度検知素子を使用してもよい。
【００３８】
第１の制御手段１１及び第２の制御手段１３はマイコン上のＲＯＭやＲＡＭまたは回路上のＥＥＰＲＯＭなどにより構成された記憶手段１５ａ、１５ｂを備える。記憶手段１５ｂは各火力設定に応じたインバーター回路１０の制御パラメータや、オート調理用のシーケンスなどを保存している。
【００３９】
第２の制御手段１３は計時手段１６により計時された時間を用い加熱開始後の一定時間の間に操作部２０のキー操作がない場合に切り忘れと判断し、加熱をＯＦＦする機能などを備える。
【００４０】
報知手段１７は操作・表示手段１２の操作部２０のキーが押された場合の確認音や、タイマー機能により調理を行っている場合にタイマー終了時間になると加熱を停止し、タイマーが終了した旨の報知を行う。
【００４１】
また、第２の制御手段１３は電源状態保持回路８の出力により、電源ＯＮの場合は操作・表示手段１２の表示部１９の電源供給状態を使用者へ知らせるための電源ＬＥＤ（図示せず）を点灯し、電源ＯＦＦの場合は操作・表示手段１２の表示部１９の電源ＬＥＤを消灯する。
【００４２】
第２の制御手段１３は第１の制御手段の固有の識別コードをあらかじめ記憶手段１５ａに記憶しているものとする。第２の制御手段１３は第１の制御手段へ通常の通信信号（加熱出力や、加熱モード、電源ＯＮ／ＯＦＦ状態等の情報）とは別に、単位相互通信毎に変更されたカウント数を送信する。
【００４３】
第１の制御手段１１は受け取ったカウント数と自身の固有の識別コードを足し合わせたコードを第２の制御手段１３へ返信する。
【００４４】
第２の制御手段１３の監視手段１８は返信されたコードから先ほど自身が送信したカウント数を引き、それが第１の制御手段１１の固有の識別コードかどうかを確認する。監視手段１８は第１の制御手段１１からの返信が正常である間は何もしないが、第１の制御手段１１からの返信が異常であり、その状態が所定回数（本実施の形態では５回とする）をこえると第１の制御手段１１が異常状態であると判断する。
【００４５】
監視手段１８が第１の制御手段１１が異常状態であると判断した場合、記憶手段１５ａにあらかじめ確保された監視手段により第２の制御手段１３からインバーター回路１０への出力を無効にした回数を記録する記録領域の数字を１インクリメントする。
【００４６】
また、第２の制御手段１３は報知手段１７により異常状態であるため加熱を停止する旨を報知する。本実施の形態ではブザーにより０．３秒オン０．３秒オフを１０回繰り返すものとする。なお、本実施の形態ではブザーによる報知としたが、音声により報知してもよい。
【００４７】
なお、本実施の形態では監視手段１８を識別コードに対して各制御手段に計算させる方法として説明したが、単に通信が返って来ない場合に電源オフする構成としてもよい。
【００４８】
また、毎回、第１の制御手段１１があるロジックに基づいて返信するような構成であればこれに限られるものではない。
【００４９】
図２は第１の制御手段１１及びインバーター回路１０周辺のブロック図である。監視手段１８により第１の制御手段１１が異常状態であると判断すると、第２の制御手段１３はインバーター出力無効手段２３（本実施の形態ではトランジスタを用いて構成する）をオンし、第１の制御手段１１からのＰＵＳＨ／ＰＵＬＬ出力をＬＯＷに固定する。
【００５０】
これにより第１の制御手段か１１から出力されたＨＩＧＨ／ＬＯＷ信号はＬＯＷに固定されるため、インバーター回路１０は発振を継続することができなくなる。
【００５１】
これにより、制御手段に何らかの不具合があり加熱を継続してしまう恐れのあるものにおいて、複数の制御手段により不具合の監視を行い不具合がある場合はインバーター回路への出力を無効にすることで、安全に配慮した加熱調理器を提供することが出来る。
【産業上の利用可能性】
【００５２】
以上のように、本発明にかかる加熱調理器は、複数の制御手段を有する場合、複数の制御手段により不具合の監視を行い不具合がある場合はインバーター回路への出力を無効にすることで、安全に配慮することが出来るため、その他の加熱調理器等の用途にも有効である。
【符号の説明】
【００５３】
３  トッププレート
９  加熱コイル
１０  インバーター回路
１１  第１の制御手段
１３  第２の制御手段
５ａ、５ｂ、５ｃ  電源ＯＮ／ＯＦＦ手段
６  ＡＣ／ＤＣ電源
７  電源スイッチ
８  電源状態保持回路
１７  報知手段
１８  監視手段
１９  表示部（表示手段）
２０  操作部（操作手段）
２２  通信手段
２３  インバーター出力無効手段
【図１】
2012094262.tif 000003
【図２】
2012094262.tif 000004
【図３】
2012094262.tif 000005